(57)【要約】【課題】原本との区別が容易な複写物を出力可能にする。【解決手段】画像処理装置３は、原稿が写真である写真複写モードが選択されると、出力用紙上において原稿画像が印刷される領域の外周に外枠が形成されるように画像データを処理する変倍処理部１９を備える。【選択図】図１
2014033439.tif 000002
【特許請求の範囲】
【請求項１】
原稿から読み取られた原稿画像の画像データに基づいて前記原稿画像を出力用紙上に印刷する複写処理が行われる際に前記画像データを処理する画像処理装置において、
前記原稿が写真である写真複写モードが設定されている場合、前記出力用紙上において前記原稿画像が印刷される領域の外周に外枠が形成されるように前記画像データを処理する外枠形成部を備えたことを特徴とする画像処理装置。
【請求項２】
前記外枠形成部は、前記写真複写モードが設定されている場合、前記原稿画像の寸法が前記出力用紙の寸法よりも小さくなるように前記画像データに対して変倍処理を行う変倍処理部であることを特徴とする請求項１に記載の画像処理装置。
【請求項３】
前記外枠形成部は、前記写真複写モードが設定されている場合、前記原稿画像の寸法が前記出力用紙の寸法よりも小さくなるように前記原稿画像の端部の画素を削除する削除処理を行う端部画素削除部であることを特徴とする請求項１に記載の画像処理装置。
【請求項４】
前記原稿画像の画像データに基づいて、前記原稿画像から著作権を表す著作権符号を検出する符号検出部を備え、
前記外枠形成部は、前記削除処理において画素の削除される範囲に前記著作権符号のうちの少なくとも一部が示されている場合、前記著作権符号の位置を、前記削除処理において画素の削除されない範囲に変更する位置補正を行うことを特徴とする請求項３に記載の画像処理装置。
【請求項５】
前記外枠形成部は、複写物であることを示す情報が前記外枠に形成されるように前記画像データを処理することを特徴とする請求項１から４のいずれか１項に記載の画像処理装置。
【請求項６】
前記外枠形成部は、複写禁止を示す情報が前記外枠に形成されるように前記画像データを処理することを特徴とする請求項１から４のいずれか１項に記載の画像処理装置。
【請求項７】
前記外枠形成部は、所定のパターンが前記外枠に形成されるように前記画像データを処理するようになっており、
前記所定のパターンは、前記出力用紙を読み取って得られる画像の画像データを処理する処理装置に対して前記出力用紙の画像の複写を禁止することを指示するための識別情報であることを特徴とする請求項１から４のいずれか１項に記載の画像処理装置。
【請求項８】
前記原稿画像の画像データに基づいて、前記原稿画像から著作権を表す著作権符号を検出する符号検出部と、
前記削除処理において画素の削除される範囲に前記著作権符号のうちの少なくとも一部が示されている場合、前記著作権符号の位置を、前記削除処理において画素の削除されない範囲に変更する位置補正を行う符号配置部とを備え、
前記外枠形成部は、前記位置補正後の画像データに対し前記削除処理を行うことを特徴とする請求項３に記載の画像処理装置。
【請求項９】
前記原稿画像の画像データに基づいて、前記原稿画像から著作権を表す著作権符号を検出する符号検出部を備え、
前記外枠形成部は、前記写真複写モードが設定されている場合、前記符号検出部にて検出された著作権符号が削除されないように前記削除処理の削除範囲を調整することを特徴とする請求項３に記載の画像処理装置。
【請求項１０】
請求項１から９のいずれか１項に記載の画像処理装置を備えたことを特徴とする画像形成装置。
【請求項１１】
コンピュータを、請求項１から９のいずれか１項に記載の画像処理装置の各部として機能させるためのプログラム。
【請求項１２】
請求項１１に記載のプログラムを記録したコンピュータ読み取り可能な記録媒体。
【発明の詳細な説明】
【技術分野】
【０００１】
本発明は、写真を複写（コピー）するために前記写真を読み取って得られる画像データに対して画像処理を行う画像処理装置に関する。
【背景技術】
【０００２】
従来から、縁無し印刷によって写真コピーを行う複合機が知られている。縁無し印刷の手法としては、例えば下記の特許文献１に示された技術が挙げられる。この特許文献１には、入力された画像データの原稿画像のサイズ（画像の寸法）を出力用紙サイズより僅かに拡大して印刷することにより、縁無し印刷画像を形成する事が開示されている。
【先行技術文献】
【特許文献】
【０００３】
【特許文献１】国際公開第２００３／０２６２７７号パンフレット
【特許文献２】特開２０１１−２５９０９５号公報
【発明の概要】
【発明が解決しようとする課題】
【０００４】
画像処理技術の進展によって写真原本の複写物の画質が向上したため、縁無し印刷によって写真原本を複写する場合、写真原本と複写物との区別を行うのが困難であるという問題が生じる。この問題は、特許文献１のように画像データを僅かに拡大する場合においても同様に生じる。さらに、写真原本から多数の複写物が生成されると前記の問題がより顕著化する。
【０００５】
本発明は、前記の問題に鑑みてなされたものであり、原本との区別が容易な複写物を出力可能にするような画像処理装置を提供することを目的とする。
【課題を解決するための手段】
【０００６】
上記の課題を解決するために、本発明の一態様は、原稿から読み取られた原稿画像の画像データに基づいて前記原稿画像を出力用紙上に印刷する複写処理が行われる際に前記画像データを処理する画像処理装置において、前記原稿が写真である写真複写モードが設定されている場合、前記出力用紙上において前記原稿画像が印刷される領域の外周に外枠が形成されるように前記画像データを処理する外枠形成部を備えたことを特徴とする。
【発明の効果】
【０００７】
本発明の一態様の構成によれば、前記出力用紙上において前記原稿画像が印刷される領域の外周に外枠が新たに形成されるため、前記外枠によって写真原本と複写物との区別を行うことができるという効果を奏する。
【図面の簡単な説明】
【０００８】
【図１】本発明の一実施形態にかかる画像処理装置を備えている画像形成装置の概略構成を示す図であり、複写モード時におけるデータの流れを示したブロック図である。
【図２】本発明の一実施形態にかかる画像処理装置を備えている画像形成装置の概略構成を示す図であり、scan to e-mailモード時におけるデータの流れを示したブロック図である。
【図３】変倍処理部の処理の流れを示したフローチャートである。
【図４】（ａ）は、縁無し印刷を行う場合における変倍処理の条件を示した説明図であり、（ｂ）は縁有り印刷（外枠形成）を行う場合における変倍処理の条件を示した説明図である。
【図５】（ａ）は、縁無しの写真原本を複写して出力される複写物を示した図であり、（ｂ）は、（ａ）に示す出力用紙をさらに複写して出力される複写物を示した図である。
【図６】本発明の変形例（実施形態２）にて出力される複写物であり、外枠にコピー牽制文字が付された複写物を示す図である。
【図７】本発明の変形例（実施形態２）の処理手順を示すフローチャートである。
【図８】２値化した画像データの画像において写真原本に相当する範囲を示した図である。
【図９】本発明の変形例（実施形態４）にて出力される複写物であり、外枠に複写禁止パターンが付された複写物を示す図である。
【図１０】実施形態６に係る画像形成装置の概略構成を示すブロック図であり、複写モード時におけるデータの流れを示したブロック図である。
【図１１】図１０の原稿検知部の概略構成を示すブロック図である。
【図１２】原稿の傾き角度を説明するための図である。
【図１３】著作権符号が配置変更される前の原稿画像を示す図である。
【図１４】著作権符号が配置変更された後の原稿画像を示す図である。
【図１５】注目画素、および、注目画素の近傍の２４画素を示した図である。
【図１６】実施形態７に係る画像形成装置の概略構成を示すブロック図であり、複写モード時におけるデータの流れを示したブロック図である。
【図１７】端部画素削除部にて削除される各部分を説明する図である。
【図１８】エッジ隣接領域を説明するための図である。
【図１９】実施形態９に係る画像処理装置を備えている画像形成装置の概略構成を示す図であり、複写モード時におけるデータの流れを示したブロック図である。
【発明を実施するための形態】
【０００９】
（実施形態１）
（画像形成装置の全体構成）
図１は、本発明の一実施形態にかかる画像処理装置３を備えている画像形成装置１の概略構成を示すブロック図である。画像形成装置１は、複写モード（コピーモード）、プリンタモード、ファクシミリモード、scan to e-mailモード（イメージ送信）等を実行可能なデジタルカラー複合機である。以下、複写モードが選択されている際の画像形成装置１の処理内容について説明する。
【００１０】
図１に示すように、画像形成装置１は、画像入力装置２、画像処理装置３、画像出力装置４、送受信装置５、記憶部６、および制御部７を備えている。
【００１１】
また、画像処理装置３は、Ａ／Ｄ変換部１１、シェーディング補正部１２、入力処理部１３、原稿自動判別部１４、下地除去処理部１５、色補正部１６、黒生成／下色除去部１７、空間フィルタ部１８、変倍処理部１９、出力階調補正部２０、中間調生成部２１、領域分離部２２、および、フォーマット化処理部２５を備えている。
【００１２】
画像入力装置２は、ＣＣＤ（Charge Coupled Device）ラインセンサを備えたスキャナ装置であり、原稿から反射してきた光をＣＣＤラインセンサによりＲ、Ｇ、Ｂ（Ｒ：赤・Ｇ：緑・Ｂ：青）に色分解された電気信号に変換する。
【００１３】
ＣＣＤラインセンサにより入力されたカラー画像信号（ＲＧＢアナログ信号）は、Ａ／Ｄ（アナログ・デジタル）変換部１１にてデジタル信号に変換される。Ａ／Ｄ変換部１１から出力されるＲＧＢのデジタルの画像データは、シェーディング補正部１２にて画像入力装置２の照明系、結像系、撮像系で生じる各種の歪みが取り除かれる補正が行われ、入力処理部１３において色成分毎にγ補正処理などが施される。
【００１４】
入力処理部１３から出力された画像データは、記憶部６に引き渡されファイリングデータとして管理される。この場合、上記画像データは、例えば、ＪＰＥＧ圧縮アルゴリズムに基づいてＪＰＥＧコードに圧縮されて記憶部６に格納されるようになっている。
【００１５】
コピー出力動作やプリント出力動作が指示された場合は、ハードディスクからＪＰＥＧコードが引き出され、不図示のＪＰＥＧ伸張部に引き渡され、復号化処理がなされＲＧＢの画像データに変換され、この画像データが原稿自動判別部１４に入力される。一方、イメージ送信動作の場合はハードディスクからＪＰＥＧコードが引き出され、不図示のＪＰＥＧ伸張部に引き渡され、復号化処理がなされＲＧＢデータに変換された後、ＰＤＦファイルに変換され、図示しないメール処理部にて電子メールに添付されて、ネットワーク網や通信回線を介して外部接続装置や通信回線へ向けてデータが伝送される。なお、ファイリングデータの管理やデータの引渡しの動作制御については制御部７が行うものとする。
【００１６】
なお、本実施形態では、入力処理部１３から出力された画像データがファイリングされているが、原稿自動判別部１４で処理が行われた後の画像データをファイリングするような形態であってもよい。この場合、原稿自動判別部１４の判別結果はファイリングされた画像データと対応付けられて記憶される。また、コピー出力動作やプリント出力動作が指示された場合、復号化処理がなされた後の画像データは下地除去処理部１５および領域分離部２２に送られ、イメージ送信動作の場合、復号化処理がなされた後の画像データからＰＤＦファイルが生成される。
【００１７】
原稿自動判別部１４は、入力画像データに基づき、読み取られた原稿がカラー原稿であるか白黒原稿であるのかの判別を行う処理である自動カラー判別処理（ＡＣＳ：Auto Color Selection）を行う。また、原稿自動判別部１４は、読み取られた原稿がブランク原稿であるか否か（無地の原稿であるか否か）を判定する判定処理、原稿の種別が、文字原稿、印刷写真原稿、文字と印刷写真とが混在した文字印刷写真原稿のいずれであるかを判定する判定処理、または、原稿に下地があるか否かの判定処理を行うようになっていてもよい。なお、原稿自動判別部１４は、原稿に下地があるか否かを判定する処理を行うようになっている場合、下地があると判定した時に当該下地の濃度を判定するようになっていてもよい。
【００１８】
領域分離部２２においては、入力画像データの各画素が属する画像領域の種類の判定が行われる。領域分離部２２にて判定される画像領域としては、例えば、黒文字領域、色文字領域、網点領域などがある。領域分離部２２による判定結果を示した領域分離信号は、黒生成／下色除去部１７、空間フィルタ部１８、中間調生成部２１に出力される。
【００１９】
下地除去処理部１５は、原稿自動判別部１４での判定結果や、ユーザによって操作パネル（不図示）から入力される下地除去の除去レベルに基づいて、下地除去処理を行う。
【００２０】
色補正部１６は、ＲＧＢの画像データを、ＲＧＢの補色であるＣＭＹ（Ｃ：シアン・Ｍ：マゼンタ・Ｙ：イエロー）の画像データに変換する処理を行うと共に、色再現性を高める処理を施す。黒生成／下色除去部１７は、ＣＭＹの画像データをＣＭＹＫ（Ｋ：黒）の４色の画像データに変換する。
【００２１】
空間フィルタ部１８は、ＣＭＹＫの画像データに対して強調処理や平滑化処理を行うものである。
【００２２】
変倍処理部１９は、ユーザによって指定された倍率、ページ集約モードが設定された際に指定される倍率に応じて、画像データに対し変倍処理を行う。また、変倍処理部１９は、変倍処理を要しない倍率である場合、画像データをスルーするようになっている（つまり入力した画像データに何ら処理を施すことなく出力する）。
【００２３】
また、本実施形態では、利用者が写真複写モードを選択した場合、変倍処理部１９は、入力画像データに示される原稿画像の寸法が出力用紙の寸法よりも小さくなるように、前記入力画像データに対して変倍処理を行うようになっている。この点については後に詳述する。
【００２４】
出力階調補正部２０は、用紙等の記録媒体に出力するための出力γ補正処理を行い、中間調生成部２１は画像を出力するための階調再現処理を行う。中間調生成部２１から出力されたＣＭＹＫの画像データは画像出力装置４に引き渡され、出力画像が印刷される。
【００２５】
画像出力装置４は、電子写真方式またはインクジェット方式のプリンタであり、中間調生成部２１から送られてきた画像データの画像を印刷するようになっている。なお、以上にて説明した、図１の画像処理装置３の各部の画像処理を通常プリンタ用の画像処理と称す。
【００２６】
また、本実施形態の画像出力装置４は、電子写真方式のプリンタではなく、昇華型プリンタであってもよい。この場合、画像処理装置３は、通常プリンタ用の画像処理ではなく、昇華型プリンタ用の画像処理を行う。この昇華型プリンタ用の画像処理を以下説明する。Ａ／Ｄ変換部１１〜下地除去処理部１５、変倍処理部１９、領域分離部２２の処理内容は、図１のものと同様である。但し、領域分離部２２は、領域分離信号を空間フィルタ部１８および出力階調補正部２０に送るようになっている。そして、色補正部１６は、昇華型プリンタの出力特性に基づいて、ＲＧＢの画像データをＲ’Ｇ’Ｂ’の画像データに変換するようになっており、黒生成／下色除去部１７および中間調生成部２１は、入力した画像データを処理せずにそのまま出力し（スルーする）、空間フィルタ部１８は、Ｒ’Ｇ’Ｂ’の画像データに対して強調処理または平滑化処理を行い、出力階調補正部２０はＲ’Ｇ’Ｂ’の画像データに対して出力階調補正を行う。そして、昇華型プリンタ（画像出力装置４）は、中間調生成部２１から入力したＲ’Ｇ’Ｂ’の画像データをＣＭＹの画像データに変換し、画素毎に階調表現がなされるように印刷する。
【００２７】
また、画像形成装置１は、画像出力装置４を２台備え、一方の画像出力装置４が電子写真方式（またはインクジェット方式）のプリンタであり、他方の画像出力装置４が昇華型プリンタであってもよい。この場合、画像形成装置１は、単一の画像処理装置３に対して電子写真方式のプリンタと昇華型プリンタとの両方が接続されている構成である。この構成では、画像処理装置３は、電子写真方式の画像出力装置４を用いてコピーが行われる場合、前述した通常プリンタ用の画像処理を行い、昇華型プリンタを用いてコピーが行われる場合、前述した昇華型プリンタ用の画像処理を行うようになっている。なお、画像形成装置１は、写真複写モード（写真をスキャナで読み込んで出力する）、あるいは、写真プリントモード（例えば、ＵＳＢメモリに格納されている写真の電子データを読み出して出力する）が選択されている時、昇華型プリンタに印刷を行わせ、写真以外の原稿の複写モードまたはプリントモードが選択されている時、電子写真方式のプリンタに印刷を行わせる構成になっていてもよい。
【００２８】
つぎに、画像形成装置１においてscan to e-mailモードが選択された場合の処理内容を簡単に説明する。図２は、本実施形態の画像形成装置の概略構成を示す図であり、scan to e-mailモード時におけるデータの流れを示したブロック図である。
【００２９】
scan to e-mailモードにおいても、Ａ／Ｄ変換部１１〜下地除去処理部１５、領域分離部２２、変倍処理部１９の処理内容は、図１のものと同様である。但し、領域分離部２２は、領域分離信号を空間フィルタ部１８および出力階調補正部２０に送るようになっている。
【００３０】
黒生成／下色除去部１７、中間調生成部２１は、図２に示すように、入力される画像データに対して処理を行わず、この画像データをそのまま後段のブロックに出力する（スルーする）。色補正部１６は、ＣＭＹの画像データを、一般に普及している表示装置の表示特性に適合したＲ”Ｇ”Ｂ”の画像データ（例えばｓＲＧＢデータ）に変換する。空間フィルタ部１８は、領域分離信号を基にデジタルフィルタによる空間フィルタ処理（強調処理，平滑化処理）を行う。出力階調補正部２０は、例えば、文字領域、文字以外の領域毎などそれぞれの領域に最適なガンマ曲線を用いた補正を行う。中間調生成部２１から出力されたＲ”Ｇ”Ｂ”の画像データは、フォーマット化処理部２５においてＰＤＦ形式に変更され、図示しないメール処理部にて電子メールに添付され、電子メールがネットワークを介して相手先に送信されることになる。
【００３１】
また、プリンタモードにおける処理の詳細な説明については省略するが、プリンタモードが選択されると、外部機器から記憶部６に画像データが一旦書き込まれ、画像処理装置３が当該画像データを処理して画像出力装置４へ渡し、画像出力装置４が当該画像データに基づいて印刷を行うようになっている。また、画像形成装置１は不図示のファクシミリ処理部を備え、ファクシミリ処理部がファクシミリモードにおいてファクシミリによる送受信を行うようになっている。
【００３２】
なお、以上にて説明した画像形成装置１の処理は、ＣＰＵ（Central Processing Unit）、あるいは、不図示のＤＳＰ（Digital Signal Processor）により制御される。
【００３３】
（変倍処理部１９について）
変倍処理部（外枠形成部）１９は、画像形成装置１において写真複写モードが設定されると、出力用紙の縁において印刷されない余白領域（以降「外枠」と称す）を生成する縁無し印刷が行われるように、印刷される画像の寸法を縮小あるいは拡大する。
【００３４】
なお、写真複写モードとは、画像入力装置２にて原稿から読み取られた原稿画像の画像データに基づいて前記原稿画像を出力用紙上に印刷する複写モードの一種であって、前記原稿が写真原本である場合のモードである。
【００３５】
そして、写真複写モードは、利用者が操作パネル（不図示）を用いて、写真複写モードを選択する操作を行った場合、あるいは、出力用紙サイズとしてＬ版、２Ｌ版、四切等の写真の規格サイズを選択する操作が行われた場合に画像形成装置１に設定されるようになっている。なお、写真複写モードの場合において所定の出力用紙サイズ（例えばＬ版）のみに印刷可能なマシンの場合、写真複写モードが選択される操作が行われることによって写真複写モードが設定される。
【００３６】
つぎに、画像形成装置１において写真複写モードが設定され、且つ、画像入力装置２にて写真原本（原稿）が読み取られた後の変倍処理部１９の処理の流れを説明する。図３は、変倍処理部１９の処理の流れを示したフローチャートである。
【００３７】
まず、変倍処理部１９は、画像形成装置１において写真複写モードが設定された場合、写真原本の画像が画像入力装置２に読み取られた後、入力画像サイズと出力用紙サイズとを設定する（Ｓ３０１）。
【００３８】
具体的には、変倍処理部１９は、写真原本を読み取って得られる入力画像データに基づいて写真原本（原稿）のサイズ（Ｌ版、２Ｌ版）を出力し、この写真原本のサイズを入力画像サイズとして設定する。なお、写真原本のサイズを出力する処理の内容については、後に詳述する。
【００３９】
また、変倍処理部１９は、操作パネルにてユーザに選択（指定）されている出力用紙サイズを、複写処理における出力用紙サイズとして設定するようになっている。また、写真複写モードの場合には所定の出力用紙サイズのみ印刷可能なマシンの場合、変倍処理部１９は、写真複写モードが選択されたことをもって所定の出力用紙サイズを設定するようになっている。
【００４０】
つまり、入力画像サイズとは、画像入力装置２にて読み取られた写真原本（原稿）のサイズ（寸法）を示し、且つ、写真原本を読み取って得られた画像データに示される原稿画像のサイズ（寸法）を示したものであり、出力用紙サイズとは、前記原稿画像が印刷される用紙のサイズ（寸法）を示したものである。
【００４１】
つぎに、Ｓ３０２において、変倍処理部１９は、縁無し印刷を行うために、Ｓ３０１にて設定した入力画像サイズおよび出力用紙サイズに基づいて、出力用紙の縁にて印刷されない余白領域が生成されるような変倍率を設定する。つまり、出力用紙の辺と出力画像（印刷される原稿画像）との間において余白領域（以下では「外枠」と称す）が生成されるように出力画像の寸法が調整される。
【００４２】
変倍率の設定手法を以下説明する。例えば、画像形成装置１の入力解像度が６００ｄｐｉであって出力解像度が３００ｄｐｉである場合において、写真原本と同サイズの出力用紙に対し、出力用紙サイズと出力画像サイズとを一致させた縁無し印刷を行おうとすると、入力画像の画素数および出力画像の画素数は表１のようになる。表１では、入出力サイズ（入力画像サイズと出力用紙サイズとの両方）をＬ版にする場合、および、入出力サイズを２Ｌ版にする場合の、入力画像の画素数および出力画像の画素数を示している。
【００４３】
【表１】
2014033439.tif 000003
【００４４】
なお、入力解像度とは、画像入力装置２の解像度（入力画像の解像度）であり、出力解像度とは、画像出力装置４の解像度（出力画像の解像度）である。
【００４５】
つまり、図４（ａ）に示すように、入力解像度６００ｄｐｉ、出力解像度が３００ｄｐｉであり、入力画像サイズおよび出力用紙サイズをいずれもＬ版として縁無し印刷を行う場合、入力画像の画素数は２１０２×３０００になり、出力画像の画素数は１０５１×１５００になるため、主走査方向の画素数および副走査方向の画素数をいずれも０．５倍にする必要がある。したがって、主走査変倍率および副走査変倍率をいずれも０．５倍（５０％）として定める必要がある。なお、本実施形態において、主走査変倍率とは、変倍処理前の主走査方向の画素数に対する変倍処理後の主走査方向の画素数の割合であり、副走査変倍率とは、変倍処理前の副走査方向の画素数に対する変倍処理後の副走査方向の画素数の割合である。
【００４６】
これに対し、縁有り印刷を行う場合、縁無し印刷を行う場合よりも主走査変倍率および副走査変倍率の各々を小さく設定すればよい。例えば、図４（ｂ）に示すように、入力解像度、出力解像度、および入力画像のサイズについては図４（ａ）のケースと同様にし、主走査変倍率および副走査変倍率の各々を０．５から０．４５に減少させるものとする。このようにすると、図４（ａ）に示すように各変倍率が０．５の出力画像の画素数は１０５１×１５００であるのに対し、図４（ｂ）に示すように各変倍率が０．４５の出力画像の画素数は９４６×１３５０になり、出力画像の画素数が減少する。そして、図４（ａ）の出力画像と図４（ｂ）の出力画像とで解像度は同じであるため、図４（ｂ）の出力画像の寸法は図４（ａ）の出力画像の寸法よりも小さくなる。
【００４７】
したがって、縁有り印刷を行う場合（出力用紙の辺と出力画像との間に外枠を生成する場合）、主走査変倍率および副走査変倍率を、縁無し印刷を行う場合よりも小さくすればよい。
【００４８】
そこで、本実施形態では、入力画像サイズおよび出力用紙サイズの組と、縁無し印刷を行う場合の主走査変倍率および副走査変倍率の組との対応関係が示されている第１変換テーブル（不図示）を記憶部６に予め格納しておく。なお、第１変換テーブルに示されている対応関係は、勿論、画像形成装置１の入力解像度および出力解像度に適合したものである。
【００４９】
そして、変倍処理部１９は、第１変換テーブルを参照して、Ｓ３０１にて設定した入力画像サイズと出力用紙サイズとの組に対応付けられている主走査変倍率と副走査変倍率との組を読み出す。入力画像サイズと出力用紙サイズとがいずれもＬ版である場合、主走査変倍率と副走査変倍率とはいずれも０．５になる。
【００５０】
つぎに、変倍処理部１９は、第１変換テーブルを参照して読み出した主走査変倍率および副走査変倍率に対して、所定係数Ｎ（ここではＮ＝０．９とする）を乗じる。入力画像サイズおよび出力用紙サイズがいずれもＬ版である場合、所定係数Ｎが乗じられる前の主走査変倍率および副走査変倍率は０．５であるので、所定係数Ｎが乗じられることによって主走査変倍率および副走査変倍率は０．４５（４５％）になる。
【００５１】
そして、変倍処理部１９は、所定の係数を乗じた後の主走査方向変倍率および副走査変倍率を、Ｓ３０３の変倍処理にて用いる変倍率として設定する。
【００５２】
なお、所定係数Ｎは、０より大きく１未満の小数であり、出力画像が出力用紙に印刷された場合に外枠が視認可能な程度の広さで形成されるような値に設定される。所定係数Ｎは、一定値であってもよいし、利用者の指示に応じて変更される値であってもよい。但し、変更可能な値の場合、外枠が視認可能な程度の広さで形成されるように上限値および下限値が定められる。
【００５３】
そして、Ｓ３０３において、変倍処理部１９は、Ｓ３０２にて設定した変倍率に基づいて画像データに対して変倍処理を行う。なお、変倍処理は、公知である「ニアレストネイバー」「バイリニア」「バイキュービック」等の補間方法を用いて行う。
【００５４】
これにより、入力画像サイズ（写真原本サイズ）と出力用紙サイズとを同じ（例えばＬ版）にする場合であっても、図４（ｂ）に示すように出力画像サイズが出力用紙サイズ（Ｌ版）より僅かに小さくなるように変倍処理が行われる。また、変倍処理部１９は、出力用紙の中心と出力画像の中心とが一致するように前記変倍処理を行っている。
【００５５】
それゆえ、画像出力装置４から出力される出力用紙においては、出力用紙の辺と出力画像との間において外枠が生成されるように縁無し印刷が施される。例えば、写真原本（入力原稿）が縁なし写真でそのサイズがＬ版であり、出力用紙のサイズもＬ版であり、入力解像度６００ｄｐｉ、出力解像度が３００ｄｐｉの場合、主走査変倍率および副走査変倍率が０．４５倍で変倍されると、図５（ａ）に示されるように、出力用紙上の斜線で示される領域において、主走査方向の幅が５３画素であって副走査方向の幅が７５画素の外枠を生成できる。
【００５６】
つまり、本実施形態によれば、写真原本を複写する場合、複写される出力用紙には新たに外枠が形成されることになる。それゆえ、写真原本が外枠の無い縁無し写真の場合、複写物は外枠の形成された縁有り写真となり、写真原本と複写物とを区別する事が容易である。また、元々外枠が形成された写真原本を複写する場合であっても、複写にて生成される複写物には写真原本の外枠がコピーされつつ当該外枠の周囲に新たな外枠が形成されることになり、複写物の外枠の範囲は写真原本の外枠の範囲よりも広くなる。それゆえ、写真原本と複写物とを区別する事が可能である。
【００５７】
また、図５（ａ）に示される出力用紙（写真原本を複写した複写物）を入力画像としてさらに複写する場合、図５（ｂ）に示されるような出力用紙が出力されることになる。図５（ｂ）に示される出力用紙においては、写真原本（原稿）の外枠（ドット部）がコピーされつつ、当該外枠よりもさらに外側において、主走査方向に５３画素であり副走査方向に７５画素の外枠（斜線部）が新たに生成されている。すなわち、図５（ｂ）の外枠の範囲は、図５（ａ）の外枠の範囲（図５（ａ）の斜線）よりも広くなる。それゆえ、１世代目の複写物（図５（ａ））と、２世代目の複写物（図５（ｂ））との区別が可能である。このように、複写物の世代を区別することが可能になると、写真原本を有している本人が１世代目の複写物を複写し、１世代目の複写物を他人に配った後、本人の意図せぬ２世代目以降の複写物が出回っていることを前記本人が知った場合、前記本人は不正コピーを行われている可能性を認識でき、セキュリティ性を確保できるというメリットもある。
【００５８】
（入力画像サイズの設定）
つぎに、Ｓ３０１において入力画像サイズを設定する処理の内容を具体的に説明する。まず、変倍処理部１９は、空間フィルタ部１８から入力されるＣＭＹＫの画像データの他に、ＲＧＢの画像データ（画像入力装置２から入力された写真原本の画像データ）を記憶部６から入力し、当該画像データに対してモノクロ化および２値化を行う。
【００５９】
モノクロ化とは、画素毎のＲＧＢ値を輝度値に変換する処理である。画像データの各色成分をそれぞれＩｎＲ、ＩｎＧ、ＩｎＢとして、輝度値をＯｕｔとする場合、例えば以下の式１によってＲＧＢ値を輝度値に変換できる。
Ｏｕｔ＝ＩｎＲ×０．３＋ＩｎＧ×０．５９＋ＩｎＢ×０．１１          式１
２値化とは、モノクロ化された画像データを２値の画像データに変換する処理である。２値化は、画素毎に、輝度値を閾値（例えば２００）と比較し、輝度値が閾値以上であれば輝度値を０に変換し、輝度値が閾値未満であれば輝度値を１に変換する処理を指す。
【００６０】
つぎに、変倍処理部１９は、２値化された画像データ（２値化データと称す）に基づいて、画像入力装置２の原稿台に載置されている写真原本の傾きαを算出することによって写真原本に傾きがあるか否かを判定する。具体的には以下の（１）〜（４）の手順を実行することになる。
（１）主走査方向の座標をｘ、副走査方向の座標をｙ、２値化データの主走査方向のサイズ（画素数）をXwidth、２値化データの副走査方向のサイズをYwidth、座標（ｘ、ｙ）の画素の濃度値（２値化データの濃度値）をＦ（ｘ、ｙ）とする。そして、２値化データの左上頂点を原点（０、０）とし、原点から主走査方向に向けて順に各画素のＦ（ｘ、ｙ）の値が１か否かを判定し、Ｆ（ｘ、ｙ）=１の画素が検出されるまで判定を継続する。そして、ｘ座標の値がXwidthの画素まで判定を継続した場合、副走査方向に１画素ずらした上で前記の判定を繰り返し、図８に示すようにＦ（ｘ、ｙ）=１になった画素の座標（ｘ１、ｙ１）を検出する。なお、図８は、２値化データの２値画像おいて写真原本に相当する範囲（Ｆ（ｘ、ｙ）=１の範囲）を示した模式図である。
（２）つぎに、２値化データの左上頂点（原点）から副走査方向に向けて順に各画素のＦ（ｘ、ｙ）の値が１か否かを判定し、Ｆ（ｘ、ｙ）＝１の画素が検出されるまで判定を継続する。そして、ｙ座標がｙwidthの画素まで判定を継続した場合、主走査方向に１画素ずらした上で前記の判定を繰り返し、Ｆ（ｘ、ｙ）＝１になった画素の座標（ｘ２、ｙ２）を検出する（図８参照）。
（３）（ｘ１、ｙ１）と（ｘ２、ｙ２）とを式２に代入することで傾きαを求める。
α＝（ｙ２−ｙ１）／（ｘ２−ｘ１）          式２
（４）傾きαと予め定められている閾値Ｔｈα（例えば０．０５＝約５度）とを比較し、傾きαが閾値以上であれば傾き有りと判定し、傾きαが閾値未満であれば傾き無と判定する。
【００６１】
そして、変倍処理部１９は、傾き有りと判定した場合、２値化データに対して傾き補正を行う。具体的には、傾きαを回転角度とした回転処理が行われる。
【００６２】
つぎに、変倍処理部１９は、２値化データを参照して、Ｆ（ｘ、ｙ）＝１の領域の主走査方向の画素数および副走査方向の画素数を求める。なお、変倍処理部１９は、回転処理を行った場合は回転処理済の２値データを参照して画素数を求め、回転処理を行っていない場合（傾き無しと判定した場合）、回転処理を行っていない２値データを参照して画素数を求める。
【００６３】
そして、本実施形態では、主走査方向の画素数および副走査方向の画素数の組と入力画像サイズとの対応関係を示した第２変換テーブルが記憶部６に予め格納されている。なお、第２変換テーブルに示される対応関係は、勿論、画像形成装置１の入力解像度および出力解像度に適合したものになるように設定される。そして、変倍処理部１９は、前記第２変換テーブルを参照して、Ｆ（ｘ、ｙ）＝１の領域の主走査方向の画素数および副走査方向の画素数の組に対応付けられている入力画像サイズを読み出して設定するようになっている。
【００６４】
なお、入力画像サイズの設定手法は以上のように画像データに基づいて求める手法に限定されるものではない。
【００６５】
例えば、操作パネルによってユーザに写真原本のサイズの入力を促すようになっており、ユーザが操作パネルから画像形成装置１に写真原本のサイズを入力した場合、変倍処理部１９は、ユーザによって入力された写真原本のサイズを入力画像サイズとして設定するようになっていてもよい。
【００６６】
あるいは、画像入力装置２においてフォトトランジスタなどの光電変換素子を配置し、制御部７が、光電変換素子の出力に基づいて写真原本のサイズ（規格サイズ）を検出可能なようになっていてもよい。この場合、変倍処理部１９は、制御部７にて検出されたサイズを入力画像サイズとして設定する。
【００６７】
以上示したように、本実施形態の画像処理装置３は、原稿（写真原本）から読み取られた原稿画像の画像データに基づいて前記原稿画像を出力用紙上に印刷する複写処理が行われる際に前記画像データを処理する装置である。そして、画像処理装置３は、前記原稿が写真である写真複写モードが設定されている場合、前記出力用紙上において前記原稿画像が印刷される領域の外周に外枠が形成されるように前記画像データを処理する変倍処理部１９を備えていることになる。このような構成によれば、前記出力用紙上において前記原稿画像が印刷される領域の外周に外枠が新たに形成されるため、前記外枠によって写真原本と複写物との区別を行うことができるという効果を奏する。
【００６８】
また、変倍処理部１９は、前記写真複写モードが設定されている場合、前記原稿画像の寸法が前記出力用紙の寸法よりも小さくなるように前記画像データに対して変倍処理を行うようになっている。この構成によれば、前記原稿画像を変倍（拡縮）することで前記原稿画像の寸法を前記出力用紙の寸法よりも小さくしているため、前記原稿画像の一部を欠落させることなく、前記原稿画像の寸法を前記出力用紙の寸法よりも小さくできる。
【００６９】
（実施形態２）
以上示した実施形態１では、外枠は出力用紙上において印字されない余白領域であったが、複写禁止を示す情報を外枠上に重畳印字するようになっていてもよい。複写禁止を示す情報としては、例えば、図６で示すように「複写禁止」「Confidential」というようなコピー牽制文字が挙げられる。このようにコピー牽制文字を外枠に印字する形態の場合、コピー牽制文字の付加された出力用紙上の画像を別の用紙へ複写する処理を禁止している事を、出力用紙の所持者に認識させることができる。
【００７０】
コピー牽制文字を外枠に印字する場合における処理フローは図７のようになる。図７に示すＳ７０１、Ｓ７０２、Ｓ７０３は、図３に示すＳ３０１、Ｓ３０２、Ｓ３０３と各々同一であるため、その説明を省略する。Ｓ７０３の後、変倍処理部１９は牽制文字を付加する処理を行う（Ｓ７０４）。具体的に、変倍処理部１９は、外枠に対応する領域にてコピー牽制文字が付加されるように、変倍処理後の画像データに対して画像処理を施し、当該画像処理後の画像データを中間調生成部２１に送信するようになっている。つまり、変倍処理後の画像データにおいては、原稿画像領域よりも外側領域（外枠）が濃度ゼロ（白色）の画素の集合になっているが、変倍処理部１９は、当該外側領域の一部においてコピー牽制文字を印字しようとする部分の画素の濃度を変換することにより、外枠に対応する領域にて牽制文字を付加できる。
【００７１】
（実施形態３）
また、コピー牽制文字を外枠に印字するのではなく、複写物であることを示す情報を外枠に印字するようになっていてもよい。例えば、図６に示す外枠部分において、「複写禁止」「Confidential」という文字ではなく、「複写物」という文字を印字するようになっていてもよい。このように、複写物であることを外枠に印字する形態の場合、写真原本と複写物との区別を一層容易に行えるという効果を奏する。なお、複写物であることを示す情報を外枠に印字する場合の処理フローは図７と同様である。つまり、Ｓ７０４において、コピー牽制文字ではなく複写物であることを示す文字が付加されることになる。
【００７２】
（実施形態４）
また、図６のコピー牽制文字はコピーが禁止されていることを人に認識させるだけのものであるため、不正者が、前記コピー牽制文字を無視して、コピー牽制文字の付加された出力用紙を読み取らせてさらにコピーするという懸念が考えられる。そこで、図６のコピー牽制文字の代わりに、図９に示す複写禁止パターン（所定パターン）を出力用紙の外枠に印字してもよい。この複写禁止パターン（複製禁止パターン）は、画像形成装置（処理装置）１が図９に示す出力用紙を読み取って画像データを生成した場合に、図９の出力用紙に示される画像の複写を禁止することを画像形成装置１に指示するための識別情報である。例えば、図９に示す複製禁止パターンを記憶部６に予め記憶させておき、画像形成装置１は、写真原本をコピーする場合、記憶部６に記憶されている複製禁止パターンを外枠に付加する。そして、画像形成装置１は、外枠に複製禁止パターンが形成された出力用紙の画像を画像入力装置２にて読み取り、読み取った画像に示される複製禁止パターンが記憶部６の複製禁止パターンと一致する場合、前記出力用紙の画像の印刷およびファイル化を禁止する（画像の複製を禁止する）。このような構成によれば、前記出力用紙上の画像が不正にコピーされることを禁止できる。
【００７３】
また、複写禁止パターンを外枠に印字する場合の処理フローは図７と同様である。つまり、Ｓ７０４において、コピー牽制文字ではなく複写禁止パターンが付加されることになる。さらに、複写禁止パターンは、例えば、人の目に見え難いイエローを用いて印字されるようになっていてもよい。
【００７４】
なお、複写禁止パターンによって複写禁止を実現する点は、例えば特許文献２の段落〔０００３〕に示されている。
【００７５】
（実施形態５）
また、以上の実施形態１〜４は、前記原稿画像の寸法が前記出力用紙の寸法よりも小さくなるように、変倍処理部１９が変倍処理における変倍率を調整することで外枠を形成する形態であったが、このような形態に限定されるものではない。例えば、変倍処理部１９の後段および出力階調補正部２０の前段に、端部画素削除部（図１、２では不図示）を備える形態であってもよい。
【００７６】
端部画素削除部（外枠形成部）は、写真複写モード以外のモードでは、変倍処理部１９から受け取った画像データに対して処理を施さず、当該画像データをそのまま出力階調補正部２０に伝送する。
【００７７】
これに対し、写真複写モードが設定されている場合、まず、変倍処理部１９は、画像データに示される原稿画像のサイズ（出力画像サイズ）が出力用紙サイズに一致するように、画像データに対して変倍処理を施す。つまり、図４（ｂ）に示されるように変倍処理を行うのではなく、図４（ａ）に示されるように変倍処理を行う。そして、端部画素削除部は、写真複写モードが設定されている場合、変倍処理部１９から送られてくる画像データに示される原稿画像の端部のうち、所定数の画素を削除することで外枠を設定するようになっていてもよい。つまり、原稿画像の端部のうち、所定数の画素を白色画素（印字しない画素）に変換することで所定数の画素を削除するようになっている。
【００７８】
例えば、端部画素削除部は、出力解像度が３００ｄｐｉであり、主走査の画素数が１０５１画素であって副走査方向の画素数が１５００画素の出力画像（原稿画像）の画像データを処理する場合（図５（ａ）参照）、主走査方向の画素数が９４５画素になって副走査方向の画素数が１３５０画素になるように端部画素を削除する。具体的には、各主走査ラインにおいて一端の５３画素と他端の５３画素とを削除し、各副走査ラインにおいて一端の７５画素と他端の７５画素とを削除する。このように、出力画像（原稿画像）の端部の画素を削除するようにしても、図５（ａ）に示すように出力画像の寸法を出力用紙の寸法よりも小さくできる。
【００７９】
なお、削除する画素数は、入力解像度、出力解像度、入力画像サイズおよび出力用紙サイズによって定める値である。それゆえ、本変形例（実施形態５）では、入力画像サイズおよび出力用紙サイズの組と、主走査ラインの削除画素数および副走査ラインの削除画素数の組との対応関係を示した第３変換テーブルを記憶部６に記憶させておく（第３変換テーブルに示される対応関係は、勿論、画像形成装置１の入力解像度および出力解像度に適合したものである）。そして、端部画素削除部は、Ｓ３０１と同様の処理を行って入力画像サイズおよび出力用紙サイズを設定し、設定した入力画像サイズおよび出力用紙サイズに対応付けられている削除画素数をテーブルから読み出し、この削除画素数に基づいて、原稿画像から端部の画素を削除すればよい。
【００８０】
以上示した変形例（実施形態５）によれば、原稿画像の端部を欠落させることで、前記原稿画像の寸法を前記出力用紙の寸法よりも小さくできる。それゆえ、本変形例の構成は、前記原稿画像の端部を欠落させてもよいケース（端部が不要領域の場合）や、前記原稿画像を縮小させたくないケースに好適である。
【００８１】
また、本変形例（実施形態５）の端部画素削除部は、写真原本（原稿）に著作権を示す符号（マークや文字）が記載されており、当該符号の少なくとも一部が画素を削除する範囲と重複する場合、当該符号が消去されないように、当該符号の位置を変更する位置補正を行うようになっていてもよい。
【００８２】
例えば、画像入力装置２から入力した画像データにＯＣＲ処理を施し、著作権を示す符号（”All Right Reserved”、Ｃマーク等）を検出し、且つ、符号の位置を検出する符号検出部を画像処理装置３に備えておく。
【００８３】
そして、端部画素削除部は、原稿画像の端部の画素を削除する前に、符号検出部の検出結果に基づき、原稿画像のうち、符号の一部分が画素の削除される範囲に重複するか否かを判断する。重複しないと判断した場合、端部画素削除部は、符号の位置を変更せずに、そのまま原稿画像から端部の画素を削除する。重複すると判断した場合、端部画素削除部は、符画素が削除されない範囲の一部に前記符号の画像データを上書きコピーすることにより、前記符号の位置の変更を行う。
【００８４】
これにより、外枠を形成するために原稿画像の端部の画素を削除する場合であっても、著作権を示す符号まで削除されることがなく、著作権が侵されることを抑制できる。
【００８５】
（実施形態６）
著作権を示す符号（著作権符号）の位置補正（著作権を示す符号の位置補正）を行う形態の別の実施例を実施形態６として説明する。実施形態５は、端部画素削除部が前記位置補正を行っていたが、実施形態６は、端部画素削除部と別のブロック（図１０の符号配置部３６）が前記位置補正を行う形態である。
【００８６】
図１０は、実施形態６に係る画像形成装置の概略構成を示すブロック図であり、複写モード時のデータの流れを示したブロック図である。
【００８７】
図１０に示す画像形成装置１ａは、図１に示す画像形成装置１が備える各ブロックを備えている他、さらに原稿検知部３１、原稿補正部３２、文字認識部３３、符号検出部３４、符号位置判定部３５、符号配置部３６、端部画素削除部３７が追加されて備えられている。
【００８８】
なお、図１０の画像形成装置１ａにおいて、原稿自動判別部１４から出力されるＲＧＢの画像データは、原稿検知部３１、原稿補正部３２、符号位置判定部３５、符号配置部３６の順に通っていき、符号配置部３６から出力される画像データが下地除去処理部１５および領域分離部２２に入力するようになっている。また、変倍処理部１９から出力されるＣＭＹＫの画像データが端部画素削除部３７に送られ、端部画素削除部３７から出力される画像データが出力階調補正部２０に送られるようになっている。
【００８９】
図１０において、図１と同じ部材については、同じ符号を付し、以下で特に説明をしている事項を除いては、既に説明した機能と同じ機能を奏するものとする。
【００９０】
以下では、端部画素削除部３７および変倍処理部１９を説明した後に、原稿検知部３１、原稿補正部３２、文字認識部３３、符号検出部３４、符号位置判定部３５、符号配置部３６の各ブロックを順に説明する。
【００９１】
端部画素削除部３７および変倍処理部１９は、実施形態５と同じ処理を行うブロックであ。つまり、端部画素削除部３７は、写真複写モード以外のモードでは、変倍処理部１９から受け取った画像データに対して処理を施さず、当該画像データをそのまま出力階調補正部２０に伝送する。
【００９２】
これに対し、写真複写モードが設定されている場合、まず、端部画素削除部３７の前段の変倍処理部１９において、画像データに示される原稿画像のサイズ（出力画像サイズ）が出力用紙サイズに一致するように、画像データに対して変倍処理が施される。つまり、図４（ｂ）に示されるように変倍処理を行うのではなく、図４（ａ）に示されるように変倍処理を行う。そして、端部画素削除部３７が、変倍処理部１９から送られてくる画像データに示される原稿画像の端部のうち、所定数の画素を削除することで外枠を設定するようになっている。つまり、原稿画像の端部のうち、所定数の画素を白色画素（印字しない画素）に変換することで所定数の画素を削除するようになっている。
【００９３】
また、削除する画素数の決定手法も実施形態５と同様である。すなわち、端部画素削除部３７は、Ｓ３０１と同様の処理を行って入力画像サイズおよび出力用紙サイズを設定し、設定した入力画像サイズおよび出力用紙サイズに対応付けられている主走査ラインの削除画素数と副走査ラインの削除画素数とを第３変換テーブル（実施形態５を参照）から読み出す。そして、端部画素削除部３７は、第３変換テーブルから読み出した（求めた）主走査ラインの削除画素数および副走査ラインの削除画素数に基づいて、原稿画像から端部の画素を削除するようになっている。
【００９４】
これにより、実施形態５と同様、原稿画像の端部を欠落させることで、原稿画像の寸法を出力用紙の寸法よりも小さくできるため、この画像の中心座標を用紙の中心に合わせるように印刷出力することで、印刷用紙上に外枠を形成して出力画像をプリントできる。
【００９５】
つぎに、原稿検知部３１、原稿補正部３２、文字認識部３３、符号検出部３４、符号位置判定部３５、符号配置部３６の各ブロックを説明する。
【００９６】
原稿検知部３１は、原稿自動判別部１４から出力される画像データをそのまま原稿補正部３２に送るとともに、この画像データに対応する２値化画像データの生成処理、および、原稿画像の傾き角度を検出する角度検出処理を行う。
【００９７】
図１１は、原稿検知部３１の概略構成を示すブロック図である。この図に示すように、原稿検知部３１は、信号変換部５１、２値化処理部５２、解像度変換部５３および原稿傾き検知部５４を備えている。
【００９８】
信号変換部５１は、原稿自動判別部１４から出力されるＲＧＢの画像データを、明度信号もしくは輝度信号に変換する（モノクロ（白黒）の画像データを生成する）。例えば、信号変換部５１は、Ｙｉ＝０．３０Ｒｉ＋０．５９Ｇｉ＋０．１１Ｂｉを演算することによりＲＧＢ信号から輝度信号Ｙを生成する。ここで、Ｙは各画素の輝度信号であり、Ｒ，Ｇ，Ｂは各画素のＲＧＢ信号における各色成分の画素値（階調値）であり、添え字のｉ（ｉは１以上の整数）は、画素毎に付与されており且つ各画素を特定する値（ｉは１以上の整数）である。あるいは、信号変換部５１は、ＲＧＢの画像データから、ＣＩＥ１９７６のＬ*ａ*ｂ*信号（ＣＩＥ:Commission International de l'Eclairage、Ｌ*：明度、a*,ｂ*:色度）のＬ*信号を生成するようになっていてもよい。
【００９９】
信号変換部５１にてモノクロに変換された画像データ（輝度値（輝度信号Ｙ）または明度値（Ｌ*：明度信号））は２値化処理部５２に送られる。
【０１００】
２値化処理部５２は、モノクロに変換された画像データと、予め設定された閾値とを比較することにより、２値化された画像データ（２値化画像データ）を生成する。例えば、画像データが８ビットである場合、上記閾値を１２８とする。あるいは、注目画素を中心とし且つ複数の画素（例えば５画素×５画素）からなるブロックにおける濃度（画素値）の平均値を前記注目画素に対する閾値としてもよい。２値化処理部５２にて生成された２値化画像データは解像度変換部５３に送られる。
【０１０１】
解像度変換部５３は、２値化画像データの解像度を低解像度に変換する。具体的には、解像度変換部５３は、解像度（読取解像度）が１２００ｄｐｉ、７５０ｄｐｉ、あるいは６００ｄｐｉである２値化画像データから、読取解像度よりも低い第１解像度（例えば３００ｄｐｉ）の２値化画像データを生成し、さらに第１解像度よりも低い第２解像度（例えば７５ｄｐｉ）の２値化画像データを生成する。解像度変換の方法は特に限定されるものではなく、例えば、公知のニアレストネイバー法、バイリニア法、バイキュービック法などを用いることができる。
【０１０２】
解像度変換部５３は、第１解像度に低解像度化した２値化画像データを原稿傾き検知部５４に出力するとともに、第２解像度に低解像度化した２値化画像データを文字認識部３３に出力する。
【０１０３】
原稿傾き検知部５４は、解像度変換部５３から送られてきた第１解像度の２値化画像データに基づいて、画像読取時のスキャン範囲（正規の原稿位置）に対する原稿の傾き角度を検知し、且つ、傾きの有無を判定する。さらに、原稿傾き検知部５４は、検知結果（傾き角度）および判定結果（傾きの有無）を原稿補正部３２に出力する。つまり、図１２に示すように、画像入力装置２におけるスキャン範囲（正規の原稿位置）に対して、画像読取時における原稿の位置が傾いていた場合に、この傾き角度を検知する。
【０１０４】
原稿傾き検知部５４に実行される、傾き角度の検知方法および傾きの有無の判定方法としては、例えば、実施形態１の（１）〜（４）に示される手法を用いることができる。なお、この場合、実施形態１の（３）の傾きαを前記傾き角度として扱うことになる。
【０１０５】
原稿傾き検知部５４は、検知した傾き角度を示す検知結果を、図１０に示す原稿補正部３２に伝達するようになっている。
【０１０６】
図１０の原稿補正部３２は、原稿傾き検知部５４の検知結果（傾き角度）に基づいて、ＲＧＢの画像データに対して傾き補正処理を施す。また、図１０の原稿補正部３２は、傾き補正処理を施したＲＧＢの画像データを符号位置判定部３５に出力する。
【０１０７】
さらに、原稿傾き検知部５４は、原稿が傾いていると判定した場合（傾き有りと判定した場合）、上記第２解像度に低解像度化した２値化画像データを原稿補正部３２に送信するように解像度変換部５３に指示する。原稿補正部３２は、上記第２解像度に低解像度化した２値化画像データを入力すると、原稿傾き検知部５４の検知結果（傾き角度）を用いて上記２値化画像データに傾き補正を行い、傾き補正が施された２値化画像データを文字認識部３３に出力する。
【０１０８】
なお、原稿補正部３２によって処理が施されたＲＧＢの画像データをファイリングデータとして管理するようにしてもよい。この場合、上記画像データは、例えば、ＪＰＥＧ圧縮アルゴリズムに基づいてＪＰＥＧコードに圧縮されて記憶部６に格納される。そして、この画像データに対するコピー出力動作やプリント出力動作が指示された場合には、記憶部６からＪＰＥＧコードが引き出されて不図示のＪＰＥＧ伸張部に引き渡され、ＪＰＥＧ伸張部にて復号化処理が施されてＲＧＢの画像データに変換され、この画像データが下地除去処理部１５と領域分離部２２とに出力される。また、上記の画像データに対して送信動作が指示された場合には、記憶部６からＪＰＥＧコードが引き出され、ネットワーク網や通信回線を介して送受信装置５から外部装置へ送信される。
【０１０９】
図１０の文字認識部３３は、原稿傾き検知部５４にて原稿が傾いていないと判定された場合（傾き無しと判定された場合）、原稿検知部３１の解像度変換部５３（図１１を参照）から送られてくる第２解像度の２値化画像データに基づいて、画像データに含まれる文字の特徴量を抽出する。また、図１０の文字認識部３３は、原稿傾き検知部５４にて原稿が傾いていると判定された場合（傾き有りと判定された場合）、原稿補正部３２から送られてくる第２解像度の２値化画像データ（傾き補正が施されたデータ）に基づいて、画像データに含まれる文字の特徴量を抽出する。そして、文字認識部３３は、抽出結果と記憶部６に予め記憶されている辞書データに含まれる文字の特徴量とを比較して文字認識を行い、文字の認識結果（文字コード）を出力する。また、文字認識部３３は、隣接する文字の組み合わせと、辞書データに含まれる単語データとのマッチングを行うことによって、原稿に記載されている単語の認識処理を行う。そして、各文字および各単語の認識結果を文字認識結果として符号検出部３４に出力するようになっている。
【０１１０】
本実施形態において、文字認識部３３は、原稿の傾き判定の結果（傾きの有無）に応じて、使用する２値化画像データを変更する形態である。つまり、傾き無しの場合、原稿検知部３１から出力される第２解像度の２値化画像データが用いられ、傾き有りの場合、原稿補正部３２から出力される傾き補正が施された第２解像度の２値化画像データが用いられるようになっている。但し、原稿の傾き判定の結果によらずに（もしくは原稿の傾き判定を行わずに）、原稿傾き検知部５４の検知結果（傾き角度）に基づいて第２解像度の２値化画像データに傾き補正を行い、傾き補正された２値化画像データを用いて文字認識が行われるようになっていてもよい。
【０１１１】
図１０の符号検出部３４は、文字認識部３３から出力された文字認識結果（原稿に示されている文字または単語）のなかから、予め定められている著作権符号（例えば”All Right Reserved”またはＣマーク）を検出する。つまり、予め定められている著作権符号を示したテーブルを記憶部６に登録させておき、符号検出部３４が、前記文字認識結果と前記テーブルと対比することにより、文字認識結果のなかから著作権符号を抽出（検出）するようになっている。
【０１１２】
そして、図１０の符号検出部３４は、検出された著作権符号の位置情報を生成し、この位置情報を符号位置判定部３５に伝送する。この位置情報は、著作権符号を構成する各文字の各画素の座標値、および、著作権符号の外接矩形の座標値である（著作権符号が文字列の場合、外接矩形が文字列の集合を囲う単一矩形である）。
【０１１３】
なお、前記の位置情報は下記の手順で生成される。まず、原稿台のスキャン範囲の左上隅の位置を原点として（図１２を参照）、著作権符号を構成する各文字の各画素の座標値を検出する。つづいて、著作権符号を構成する文字列または文字のうちエッジ部分の座標値を参照することで当該文字列または文字の外接矩形を設定し、この外接矩形の座標値を求める。
【０１１４】
符号位置判定部３５は、前述した第３変換テーブルを参照して、主走査ラインの削除画素数および副走査ラインの削除画素数を求め、この削除画素数から端部画素削除部３７にて削除される範囲（以下「削除範囲」と称す）を検出する。さらに、符号位置判定部３５は、符号検出部３４から送られてきた位置情報を参照し、符号検出部３４により検出された著作権符号の少なくとも一部（全体または一部）が削除範囲に位置しているか否かの判定を行う。符号位置判定部３５は、判定の結果を符号配置部３６に伝達する。
【０１１５】
符号配置部３６は、著作権符号の少なくとも一部が削除位置にあると符号位置判定部３５に判定されたとき、原稿画像のうちの印刷範囲（端部画素削除部３７に削除されない範囲，前記削除範囲以外の位置）に著作権符号の全体が含まれるように著作権符号の配置変更を行う。
【０１１６】
この配置変更は、少なくとも一部が削除範囲に位置する著作権符号を印刷範囲にコピーするコピー処理と、コピー元となった著作権符号（少なくとも一部が削除範囲に位置する著作権符号）を消去する消去処理とからなる。例えば、図１３に示すように、実線に囲まれている範囲が原稿画像１４０であり、破線で囲まれている範囲が印刷範囲１４１であり、実線と破線との間が削除範囲１４６であるものとする。ここで、図１３に示すように、配置変更前の著作権符号１４７の少なくとも一部（図１３では全部）が削除範囲１４６に位置する場合、符号配置部３６は、配置変更前の著作権符号１４７と重ならない範囲であり、且つ、印刷範囲１４１に完全に属する範囲（削除範囲１４６以外の範囲）であるコピー範囲１４８を設定し、コピー範囲１４８に著作権符号１４７をコピーするコピー処理を行い、コピー元の著作権符号１４７を消去する消去処理を行う。これにより、図１４に示すように、削除範囲１４６に位置していた著作権符号１４７（図１３参照）は消去され、コピー範囲１４８に著作権符号（コピー）１４７ａが生成され、削除範囲１４６からコピー範囲１４８へ著作権符号の配置が変更されたことになる。
【０１１７】
なお、上記のコピー処理は、コピー範囲１４８における画素を、著作権を示す符号の画素に置換する処理を指す。著作権を示す符号の画素については、所定の色（例えば、黒）で表すようにしても良く、原稿画像の著作権を示す符号の画素のＲＧＢ値の平均値を求め、求められた上記平均値を用いて表すようにしても良い。
【０１１８】
つぎに、上記消去処理の詳細を以下説明する。符号配置部３６は、まず、図１３の削除範囲１４６に位置する著作権符号１４７の外接矩形内の輝度ヒストグラムを作成する。この輝度ヒストグラムは、各輝度値に対する度数（画素数）を示したヒストグラムである。なお、輝度値は前述した式１にて求めることができる。
続いて、符号配置部３６は、輝度ヒストグラムの分布範囲（画素の分布範囲）での輝度値の最小値と最大値とを求め、最小値と最大値との中間値を求める（中間値＝（最大値＋最少値）／２）。つぎに、符号配置部３６は、輝度ヒストグラムにおいて、中間値以上の輝度値を示す画素の分布範囲の度数（画素数）と、中間値未満の輝度値を示す画素の分布範囲の度数とを比較し、度数の少ない方の分布範囲の各輝度値を著作権符号（文字あるいは文字列）の輝度値として判断する。
続いて、符号配置部３６は、輝度ヒストグラムにおいて中間値以上の輝度値が著作権符号の輝度値を示す場合、外接矩形の範囲内の各画素を順に注目画素として扱い、各注目画素のＲＧＢデータを、注目画素近傍の２４画素（図１５参照）のうちの輝度値が最小値である画素のＲＧＢデータに置換する。これに対し、符号配置部３６は、輝度ヒストグラムにおいて中間値未満の輝度値が著作権符号の輝度値を示す場合、外接矩形の範囲内の各画素を順に注目画素として扱い、各注目画素のＲＧＢデータを、注目画素近傍の２４画素（図１５参照）のうちの輝度値が最大値である画素のＲＧＢデータに置換する。
これにより、コピー元の著作権符号（図１３の１４７を参照）は、周囲の色で塗りつぶされることで消去されることになる。また、周囲の色で塗り潰されるため、消去された著作権符号の跡形は目立たない。
【０１１９】
以上のようにして、図１０の符号配置部３６にて著作権符号の配置の変更された画像データは、その後、下地除去処理部１５、色補正部１６、黒生成／下色除去部１７、変倍処理部１９、端部画素削除部３７の順に伝送される（図１０参照）。そして、図１０の端部画素削除部３７は、前述したように、原稿画像から端部の画素を削除する処理を行う。これにより、例えば、図１４に示される削除範囲１４６の画素が削除される。端部画素削除部３７による処理が施された画像データは、出力階調補正部２０、中間調生成部２１を経て、画像出力装置４に引き渡され、出力画像が印刷される。
【０１２０】
以上にて示した実施形態６において、図１０の端部画素削除部３７は、写真複写モードが設定されている場合、原稿画像の寸法が出力用紙の寸法よりも小さくなるように原稿画像の端部の画素を削除する削除処理を行う。これにより、出力用紙上において原稿画像が印刷される領域の外周に外枠を形成することが可能になる。
【０１２１】
さらに、実施形態６において、図１０の符号検出部３４は、原稿画像の画像データに基づいて、原稿画像から著作権を表す著作権符号を検出するようになっており、図１０の符号配置部３６は、前記削除処理において画素の削除される範囲に前記著作権符号のうちの少なくとも一部が示されている場合、前記著作権符号の位置を、前記削除処理において画素の削除されない範囲に変更する位置補正を行うようになっている。そして、端部画素削除部３７は、当該位置補正後の画像データに対し削除処理を行うようになっている。これにより、外枠を形成するために原稿画像の端部の画素を削除する場合であっても、著作権符号まで削除されることがなく、著作権が侵されることを抑制できるというメリットを有する。
【０１２２】
また、実施形態６の構成では、コピー元の著作権符号（図１３の１４７を参照）は周囲の色で塗りつぶされることで消去されることになる。したがって、例えば、コピー元の著作権符号１４７が削除範囲１４６から印刷範囲１４１に渡って形成されているような場合（著作権符号１４７の一部が削除範囲１４６に位置して残りの部分が印刷範囲１４１に位置している場合）、印刷範囲１４１にコピー元の著作権符号１４７の一部が残存して印字されるといった不都合を回避できる。
【０１２３】
なお、著作権符号は、原稿画像の端部に近い位置に描かれていることが多いので、文字認識部３３および符号検出部３４による処理を原稿画像の端部に限定してもよい。この場合、文字認識部３３および符号検出部３４による処理を行う特定範囲を予め定めて記憶部６に記憶させておき、文字認識部３３および符号検出部３４は、記憶部６を参照して特定範囲を認識し、前記の特定範囲に限定して文字認識処理および著作権符号の検出処理を行うことになる。また、予め多くの画像サンプルを用いて試験を行うことで著作権符号が検出される可能性の高い検出範囲（スキャンされる全範囲のうちの一部範囲）を予め定めて記憶部６に記憶させておき、文字認識部３３および符号検出部３４は、記憶部６を参照して前記検出範囲を認識し、この検出範囲に限定して文字認識処理および著作権符号の検出処理を行うようにしてもよい。
【０１２４】
（実施形態７）
実施形態５および６は、著作権符号の少なくとも一部が画素を削除する範囲に重複する場合、著作権符号の配置を変更することで著作権符号を削除させない形態であった。これに対し、実施形態７は、著作権符号の配置を変更するのではなく、著作権符号が削除されないように削除範囲を調整する形態である。以下、本実施形態（実施形態７）を説明する。
【０１２５】
図１６は、本実施形態に係る画像形成装置１ｂの概略構成を示すブロック図であり、複写モード時のデータの流れを示したブロック図である。図１６に示す画像形成装置１ｂは、図１０に示す符号位置判定部３５および符号配置部３６が無い点で図１０の画像形成装置１ａと異なるが、その他の構成については図１０の画像形成装置１ａと同様である。なお、図１６の画像形成装置１ｂでは、原稿補正部３２から出力されるＲＧＢの画像データは、下地除去処理部１５および領域分離部２２に送られるようになっている。
【０１２６】
図１６において、図１０と同じ部材については、同じ符号を付し、以下で特に説明をしている事項を除いては、既に説明した機能と同じ機能を奏するものとする。
【０１２７】
図１６の符号検出部３４は、図１０の符号検出部３４と同様、著作権符号を検出し、検出した著作権符号の位置情報を生成するようになっている。ただし、図１６の符号検出部３４は、生成した位置情報を端部画素削除部３７へ伝送するようになっている。
【０１２８】
端部画素削除部３７および変倍処理部１９は、実施形態５、６と同様の処理を行うブロックである。つまり、端部画素削除部３７は、写真複写モード以外のモードでは、変倍処理部１９から受け取った画像データに対して処理を施さず、当該画像データをそのまま出力階調補正部２０に伝送する。
【０１２９】
これに対し、写真複写モードが設定されている場合、まず、端部画素削除部３７の前段の変倍処理部１９において、画像データに示される原稿画像のサイズ（出力画像サイズ）が出力用紙サイズに一致するように、画像データに対して変倍処理が施される。そして、端部画素削除部３７が、変倍処理部１９から送られてくる画像データに示される原稿画像の端部の画素を削除することで外枠を設定するようになっている。
【０１３０】
つぎに、削除する画素数の決定手法を説明する。端部画素削除部３７は、Ｓ３０１と同様の処理を行って入力画像サイズおよび出力用紙サイズを設定し、設定した入力画像サイズおよび出力用紙サイズに対応付けられている主走査ラインの削除画素数と副走査ラインの削除画素数とを第３変換テーブル（実施形態５を参照）から読み出す。そして、端部画素削除部３７は、第３変換テーブルから読み出した（求めた）主走査ラインの削除画素数および副走査ラインの削除画素数に基づいて削除範囲を設定し、原稿画像から削除範囲の画素を削除するようになっている。
【０１３１】
さらに、本実施形態では、端部画素削除部３７は、符号検出部３４から位置情報を受け取っている場合（つまり著作権符号が検出されている場合）については、削除範囲のうち、前記位置情報に示されている画素について削除を禁止し、他の部分について削除する。これにより、出力用紙上に外枠（画素の削除された箇所）を形成しつつ、著作権符号を印字させることが可能になる。
【０１３２】
あるいは、下記のように処理を行ってもよい。端部画素削除部３７にて削除される削除範囲は、図１７に示されるように、原稿画像２４０のうち、上側エッジに隣接する上側削除部分２４０ａ、右側エッジに隣接する右側削除部分２４０ｂ、下側エッジに隣接する下側削除部分２４０ｃ、左側エッジに隣接する左側削除部分２４０ｄからなる。端部画素削除部３７は、符号検出部３４から受け取った位置情報を参照して、上側削除部分２４０ａ、右側削除部分２４０ｂ、下側削除部分２４０ｃ、左側削除部分２４０ｄのうち、著作権符号全体が納まっている部分を特定する。端部画素削除部３７は、特定した部分のみ画素を削除せず、残りの部分の画素を削除する。このようにしても、出力用紙上に外枠（画素の削除された箇所）を形成しつつ、著作権符号を印字させることが可能になる。
【０１３３】
以上示したように、実施形態７の画像形成装置１ｂは、写真複写モードが設定されている場合に前記原稿画像の寸法が前記出力用紙の寸法よりも小さくなるように前記原稿画像の端部の画素を削除する削除処理を行う端部画素削除部３７を備えている。これにより、出力用紙上において原稿画像が印刷される領域の外周に外枠を形成することが可能になる。
【０１３４】
さらに、実施形態７の画像形成装置１ｂは、原稿画像の画像データに基づいて原稿画像から著作権を表す著作権符号を検出する符号検出部３４を備え、端部画素削除部３７は、前記著作権符号が削除されないように前記削除処理の削除箇所を調整するようになっている。これにより、著作権符号が削除されないように原稿画像の端部を削除して外枠を形成することができ、著作権が侵されることを抑制できるというメリットを有する。
【０１３５】
（実施形態８）
図１０（または図１６）の端部画素削除部３７は、原稿画像の端部画素を削除することで外枠を形成するようになっている。
【０１３６】
ここで、本実施形態は、端部画素削除部３７によって端部の画素が削除された後の原稿画像を削除後原稿画像とする場合、端部画素削除部３７が、削除後原稿画像の端部（図１８のエッジ隣接領域７０５）の画素の色に応じて、外枠の画素の色を調整するようになっていてもよい。
【０１３７】
つまり、端部画素削除部３７は、削除後原稿画像のエッジ隣接領域７０５（削除後原稿画像の端部）の画素の色を参照して、外枠の画素の色を求める。そして、端部画素削除部３７は、画像データにおける外枠の画素の画素値を、求めた色の画素値に変換した上で、当該画像データを出力するようになっている。以下、本実施形態の詳細を説明する。なお、以下では、図１０の端部画素削除部３７に本実施形態の処理を適用した場合について説明するが、図１６に記載の端部画素削除部３７に本実施形態を適用しても勿論よい。
【０１３８】
本実施形態において、図１０の端部画素削除部３７は、まず、原稿画像の寸法が出力用紙の寸法よりも小さくなるように原稿画像の端部を削除する削除処理を行う。なお、端部画素削除部によって削除される端部は、原稿画像の各エッジ（各辺）に隣接する枠型の範囲（例えば図１３の削除範囲１４６）である。
【０１３９】
つづいて、図１０の端部画素削除部３７は、図１８に示すように、端部の削除された削除後原稿画像７００のなかのエッジ隣接領域７０５について、ＣＭＹＫの色成分毎に、階調値（画素値）毎の度数（画素数）を示した階調ヒストグラムを生成する。
【０１４０】
図１８においては、太線で囲まれている範囲が削除後原稿画像７００であり、削除後原稿画像７００の周囲のドット部分が前記削除処理にて削除された端部が位置していた範囲であり、斜線の範囲がエッジ隣接領域７０５である。エッジ隣接領域７０５は、予め定められている領域であって記憶部６に記憶されており、端部画素削除部は、記憶部６を参照することでエッジ隣接領域７０５を認識可能である。
【０１４１】
エッジ隣接領域７０５は、削除後原稿画像７００の端部であり、削除後原稿画像７００における各エッジ（各辺）に隣接する枠型の範囲である。具体的には、エッジ隣接領域７０５は、図１８に示すように、削除後原稿画像７００のうち、主走査方向に平行なエッジ７００ａ・７００ｂからの副走査方向の距離が所定画素数（図１８では１００画素）以内になる領域と、副走査方向に平行なエッジ７００ｃ・７００ｄからの主走査方向の距離が所定画素数（図１８では１００画素）以内になる領域とを指す。
【０１４２】
ＣＭＹＫの色成分毎の階調ヒストグラムの作成後、端部画素削除部は、ＣＭＹＫの色成分毎に、階調ヒストグラムの度数が所定値（例えば２０）以下の階調値を特定し、度数が所定値以下となっている階調値が連続している区間（階調値の数値範囲）のうち、最も長い区間（「最長区間」と称す）を探索する。なお、所定値をゼロと設定することで、度数がゼロの階調値のみを特定するようになっていてもよい（つまり、この場合、度数がゼロの階調値の連続区間のうちの最長区間を探索される）。
【０１４３】
続いて、図１０の端部画素削除部３７は、ＣＭＹＫの色成分毎に、外枠の階調値を求める処理を行う。具体的には、端部画素削除部３７は、ＣＭＹＫの色成分毎に、前記の最長区間の中間値を外枠の階調値とする（中間値が小数の場合は小数点以下を切り上げまたは切り捨てる）。例えば、最長区間が０〜５０である場合、中間値の２５が外枠の階調値となる。中間値は最長区間の最小値と最高値との平均である。なお、最長区間の最小値が濃度ゼロに対応する値（０）の場合、中間値ではなく０を外枠の階調値としてもよい。このようにして求めたＣＭＹＫの階調値が外枠の色を示す値になる。
【０１４４】
そして、図１０の端部画素削除部３７は、削除後原稿画像および外枠の階調値を示した画像データを出力し、この画像データは、出力階調補正部２０、中間調生成部２１を順に経て、画像出力装置４に送られる。そして、画像出力装置４が、当該画像データに基づいて印刷することにより、削除後原稿画像が出力用紙に形成されつつ、当該出力用紙上の削除後原稿画像の周囲に、端部画素削除部３７にて求められた色の外枠が形成されることになる。
【０１４５】
なお、外枠の色（階調値）は、以下のようにして求められてもよい。ＣＭＹＫの色成分毎に、階調ヒストグラムの度数が所定値（例えば２０）以上の階調値を特定し、度数が所定値以上となっている階調値が連続している区間のうち、最も長い区間（最長区間）を探索し、当該最長区間の中間値を反転処理して得られる反転値を外枠の階調値とする。例えば、最長区間が２５〜１２５であれば、その中間値７５を反転させた１８０が外枠の階調値となる。なお、反転処理とは、下記の式８によって反転処理対象の階調値（前記中間値）を反転値に変換する処理である。
反転値＝（最高階調）−（反転処理対象の階調値）
なお、最高階調とは、階調値の取り得る値のなかの最高値であり、例えば８ビットの場合は２５５である。
【０１４６】
また、以上の実施形態８の外枠の色を決定する処理は、端部画素削除部３７によって外枠を形成する形態に適用できるだけではなく、図１の変倍処理部１９によって原稿画像の寸法を出力用紙の寸法よりも小さくなるように変倍処理を行うことで外枠を形成する形態（実施形態１）にも勿論適用可能である。但し、変倍処理によって外枠を形成する形態に適用する場合、実施形態８の処理は図１に示す変倍処理部１９にて実行されることになる。そして、変倍処理部１９は、変倍処理後の原稿画像のエッジ隣接領域について、ＣＭＹＫ毎に階調ヒストグラムを作成する。階調ヒストグラム作成後は、端部画素削除部３７と同様の処理を行って、色成分毎に外枠の階調値を求める。なお、変倍処理後の原稿画像のエッジ隣接領域は、変倍処理後の原稿画像の各エッジ（各辺）に隣接する枠型の範囲であり、図１８の削除後原稿画像７００のエッジ隣接領域７０５と同様の範囲である。つまり、変倍処理後の原稿画像のエッジ隣接領域は、変倍処理後の原稿画像のうち、主走査方向に平行なエッジからの副走査方向の距離が所定画素数（例えば１００画素）以内になる領域と、副走査方向に平行なエッジからの主走査方向の距離が所定画素数（例えば１００画素）以内になる領域とを指す。
【０１４７】
以上示した実施形態８によれば、端部画素削除部３７の削除処理後の原稿画像を削除後原稿画像７００とする場合、端部画素削除部３７は、色成分毎に、前記削除後原稿画像の各エッジに隣接するエッジ隣接領域７０５（所定領域）について、階調値毎の画素の度数を示した階調ヒストグラムを作成し、前記階調ヒストグラムにおいて度数が所定値以下になる階調値のなかからいずれかの階調値を選択し、選択した階調値を前記外枠の階調値として前記画像データを出力するようになっている。あるいは、端部画素削除部３７は、色成分毎に、前記階調ヒストグラムにおいて度数が所定値以上となる階調値のなかからいずれかの階調値を選択し、選択した階調値を反転させた階調値を前記外枠の階調値として前記画像データを出力するようになっていてもよい。
【０１４８】
これにより、出力用紙上において削除後原稿画像７００のエッジ隣接領域７０５と前記外枠とが隣り合うことになるが、前記外枠の色を、エッジ隣接領域７０５にて用いられている頻度の低い色にすることができる。よって、出力用紙上にて外枠とエッジ隣接領域７０５との区別がつかなくなるといった事態を抑制できる。
【０１４９】
また、以上の実施形態８によれば、図１の変倍処理部１９の変倍処理後の原稿画像を変倍後原稿画像とする場合、変倍処理部１９は、色成分毎に、前記変倍後原稿画像の各エッジに隣接するエッジ隣接領域（所定領域）について、階調値毎の画素の度数を示した階調ヒストグラムを作成し、前記階調ヒストグラムにおいて度数が所定値以下になる階調値のなかからいずれかの階調値を選択し、選択した階調値を前記外枠の階調値として前記画像データを出力するようになっている。あるいは、変倍処理部１９は、色成分毎に、前記階調ヒストグラムにおいて度数が所定値以上となる階調値のなかからいずれかの階調値を選択し、選択した階調値を反転させた階調値を前記外枠の階調値として前記画像データを出力するようになっていてもよい。
【０１５０】
これにより、出力用紙上において前記変倍後原稿画像の前記エッジ隣接領域と前記外枠とが隣り合うことになるが、前記外枠の色を、前記エッジ隣接領域にて用いられている頻度の低い色にすることができる。よって、出力用紙上にて外枠とエッジ隣接領域との区別がつかなくなるといった事態を抑制できる。
【０１５１】
（実施形態９）
実施形態８にて説明した機能を有する端部画素削除部（端部画素を削除し、階調ヒストグラムを用いて外枠の色を調整する端部画素削除部）は、色補正部１６の前段に設けられてもよい。この例を以下説明する。
【０１５２】
図１９は、実施形態９に係る画像処理装置を備えている画像形成装置の概略構成を示す図であり、複写モード時におけるデータの流れを示したブロック図である。
【０１５３】
図１９に示す画像形成装置１ｃは、図１に示す画像形成装置１が備える各ブロックを備えている他、さらに端部画素削除部３７ａが追加されて備えられている。端部画素削除部３７ａは、下地除去処理部１５の後段であり色補正部１６の前段に備えられる。つまり、本実施形態では、下地除去処理部１５から出力されるＲＧＢの画像データは端部画素削除部３７ａに入力し、端部画素削除部３７ａはＲＧＢの画像データを処理して色補正部１６に出力するようになっている。
【０１５４】
図１９において、図１と同じ部材については、同じ符号を付し、以下で特に説明をしている事項を除いては、既に説明した機能と同じ機能を奏するものとする。
【０１５５】
端部画素削除部３７ａは、実施の形態８と同様に、原稿画像の端部画素を削除することで外枠を形成し、且つ、外枠の色を求める処理を行う。なお、本実施形態では、端部画素削除部３７ａは、後段の変倍処理部１９の変倍処理の変倍率（ユーザに設定される変倍率）を考慮した上で、最終的に画像処理装置３から出力される原稿画像と出力用紙の縁との間に外枠が形成されるように、削除する端部の画素数を設定するようになっている。
【０１５６】
また、本実施形態の端部画素削除部３７ａは、ＲＧＢの画像データを処理対象としている点で、ＣＭＹＫの画像データを処理対象とする実施形態８の端部画素削除部とは異なる。すなわち、端部画素削除部３７ａは、原稿画像の端部を削除する削除処理を行った後、削除後原稿画像７００のなかのエッジ隣接領域７０５（図１８参照）について、ＲＧＢの色成分毎に、階調値（画素値）毎の度数（画素数）を示した階調ヒストグラムを生成するようになっている。
【０１５７】
そして、端部画素削除部３７ａは、ＲＧＢの色成分毎の階調ヒストグラムの作成後、ＲＧＢの色成分毎に、階調ヒストグラムの度数が所定値（例えば２０）以下の階調値を特定し、度数が所定値以下となっている階調値が連続している区間（階調値の数値範囲）のうち、最長区間を探索する。なお、所定値をゼロと設定することで、度数がゼロの階調値のみを特定するようになっていてもよい（つまり、この場合、度数がゼロの階調値の連続区間のうちの最長区間を探索される）。
【０１５８】
続いて、端部画素削除部３７ａは、ＲＧＢの色成分毎に、外枠の階調値を求める処理を行う。具体的には、端部画素削除部３７ａは、ＲＧＢの色成分毎に、前記の最長区間の中間値を外枠の階調値とする（中間値が小数の場合は小数点以下を切り上げまたは切り捨てる）。例えば、最長区間が２０５〜２５５である場合、中間値の２３０が外枠の階調値となる。なお、最長区間の最小値が濃度ゼロに対応する値（８ビットでは２５５）の場合、中間値ではなく２５５を外枠の階調値としてもよい。このようにして求めたＲＧＢの階調値が外枠の色を示す値になる。
【０１５９】
そして、端部画素削除部３７ａは、削除後原稿画像および外枠の階調値を示した画像データを出力し、この画像データは色補正部１６へ送られる。なお、本実施形態では、外枠の形成は端部画素削除部３７ａの削除処理によって行われ、変倍処理部１９は、ユーザ指定の変倍率に応じた変倍処理またはページ集約モードにおける変倍処理を行うが、外枠を形成するための変倍処理を行うものではない。
【０１６０】
なお、外枠の色（階調値）は、以下のようにして求められてもよい。ＲＧＢの色成分毎に、階調ヒストグラムの度数が所定値（例えば２０）以上の階調値を特定し、度数が所定値以上となっている階調値が連続している区間のうち、最長区間を探索し、当該最長区間の中間値を反転処理して得られる反転値を外枠の階調値とする。例えば、最長区間が１３０〜２３０であれば、その中間値１８０を反転させた７５が外枠の階調値となる。
【０１６１】
なお、本実施形態の画像形成装置１は、コピー機能・プリンタ機能・ファクシミリ送信機能・scan to e-mail機能等を備えたデジタルカラー複合機であるが、デジタルカラー複写機であってもよい。
【０１６２】
（ソフトウェアによる実現例）
最後に、画像処理装置３の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６３】
後者の場合、画像処理装置３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の一態様の目的は、上述した機能を実現するソフトウェアである画像処理装置３の制御プログラムのプログラムコード（実行形式プログラム、中間コードプログラム、ソースプログラム）をコンピュータで読み取り可能に記録した記録媒体を、画像処理装置３に供給して、そのコンピュータ（またはＣＰＵやＭＰＵ）が記録媒体に記録されているプログラムコードを読み出して実行することによっても、達成可能である。
【０１６４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６５】
また、画像処理装置３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance：登録商標）、携帯電話網、衛星回線、地上波デジタル網等の無線でも利用可能である。
【０１６６】
（実施形態のまとめ）
本発明の一態様は、原稿から読み取られた原稿画像の画像データに基づいて前記原稿画像を出力用紙上に印刷する複写処理が行われる際に前記画像データを処理する画像処理装置において、前記原稿が写真である写真複写モードが設定されている場合、前記出力用紙上において前記原稿画像が印刷される領域の外周に外枠が形成されるように前記画像データを処理する外枠形成部を備えたことを特徴とする。
【０１６７】
本発明の一態様によれば、前記出力用紙上において前記原稿画像が印刷される領域の外周に外枠が新たに形成されるため、前記外枠によって写真原本と複写物との区別を行うことができるという効果を奏する。
【０１６８】
本発明の一態様の画像処理装置において、前記外枠形成部は、前記写真複写モードが設定されている場合、前記原稿画像の寸法が前記出力用紙の寸法よりも小さくなるように前記画像データに対して変倍処理を行う変倍処理部であってもよい。
【０１６９】
この構成によれば、前記原稿画像を変倍（拡大縮小）することで前記原稿画像の寸法を前記出力用紙の寸法よりも小さくしているため、前記原稿画像の一部を欠落させることなく、前記原稿画像の寸法を前記出力用紙の寸法よりも小さくできる。それゆえ、本発明の構成は、前記原稿画像において欠落させてもよい画像領域が無いようなケースに好適である。
【０１７０】
本発明の一態様の画像処理装置において、前記外枠形成部は、前記写真複写モードが設定されている場合、前記原稿画像の寸法が前記出力用紙の寸法よりも小さくなるように前記原稿画像の端部の画素を削除する削除処理を行う端部画素削除部であってもよい。
【０１７１】
この構成によれば、前記原稿画像の端部を欠落させることで、前記原稿画像の寸法を前記出力用紙の寸法よりも小さくできる。それゆえ、本発明の構成は、前記原稿画像の端部を欠落させてもよいケース（端部が不要領域の場合）や、前記原稿画像を縮小させたくないケースに好適である。
【０１７２】
本発明の一態様の画像処理装置は、前記構成に加えて、前記原稿画像の画像データに基づいて、前記原稿画像から著作権を表す著作権符号を検出する符号検出部を備え、前記外枠形成部は、前記削除処理において画素の削除される範囲に前記著作権符号のうちの少なくとも一部が示されている場合、前記著作権符号の位置を、前記削除処理において画素の削除されない範囲に変更する位置補正を行うようになっていてもよい。
【０１７３】
これにより、外枠を形成するために原稿画像の端部の画素を削除する場合であっても、著作権符号まで削除されることがなく、著作権が侵されることを抑制できる。
【０１７４】
また、本発明の一態様の画像処理装置において、前記外枠形成部は、複写物であることを示す情報が前記外枠に形成されるように前記画像データを処理する構成であってもよい。
【０１７５】
この構成によれば、複写物であることを示す画像（例えば「複写物」と記載された文字）が前記外枠に形成されるため、写真原本と複写物との区別を一層容易に行えるという効果を奏する。
【０１７６】
また、本発明の一態様の画像処理装置において、前記外枠形成部は、複写禁止を示す情報が前記外枠に形成されるように前記画像データを処理する構成であってもよい。
【０１７７】
この構成によれば、前記出力用紙上の画像を別の用紙へ複写する処理を禁止している事を、前記出力画像の所持者に認識させることができるという効果を奏する。
【０１７８】
また、本発明の一態様の画像処理装置において、前記外枠形成部は、所定のパターンが前記外枠に形成されるように前記画像データを処理するようになっており、前記所定のパターンは、前記出力用紙を読み取って得られる画像の画像データを処理する処理装置に対して前記出力用紙の画像の複写を禁止することを指示するための識別情報であってもよい。
【０１７９】
これにより、前記出力用紙上の画像が不正にコピーされることを禁止できるという効果を奏する。
【０１８０】
また、本発明の一態様の画像処理装置は、前記構成に加えて、前記原稿画像の画像データに基づいて、前記原稿画像から著作権を表す著作権符号を検出する符号検出部と、前記削除処理において画素の削除される範囲に前記著作権符号のうちの少なくとも一部が示されている場合、前記著作権符号の位置を、前記削除処理において画素の削除されない範囲に変更する位置補正を行う符号配置部とを備え、前記外枠形成部が、前記位置補正後の画像データに対し前記削除処理を行うようになっていてもよい。
【０１８１】
これにより、外枠を形成するために原稿画像の端部の画素を削除する場合であっても、著作権符号まで削除されることがなく、著作権が侵されることを抑制できるというメリットを有する。
【０１８２】
また、本発明の一態様の画像処理装置は、前記構成に加えて、前記原稿画像の画像データに基づいて、前記原稿画像から著作権を表す著作権符号を検出する符号検出部を備え、前記外枠形成部は、前記写真複写モードが設定されている場合、前記符号検出部にて検出された著作権符号が削除されないように前記削除処理の削除範囲を調整するようになっていてもよい。
【０１８３】
これにより、著作権符号が削除されないように原稿画像の端部を削除して外枠を形成することができ、著作権が侵されることを抑制できるというメリットを有する。
【０１８４】
また、本発明の一態様の画像処理装置は、前記構成に加えて、前記削除処理後の原稿画像を削除後原稿画像とする場合、前記外枠形成部は、色成分毎に、前記削除後原稿画像の各エッジに隣接する所定領域について、階調値毎の画素の度数を示した階調ヒストグラムを作成し、色成分毎に、前記階調ヒストグラムにおいて度数が所定値以下になる階調値のなかからいずれかの階調値を選択し、選択した階調値を前記外枠の階調値として前記画像データを出力するようなっていてもよい。
【０１８５】
この構成によれば、前記出力用紙上において前記削除後原稿画像の前記所定領域と前記外枠とが隣り合うことになるが、前記外枠の色を、前記所定領域にて用いられている頻度の低い色にすることができる。よって、出力用紙上にて外枠と所定領域との区別がつかなくなるといった事態を抑制できる。
【０１８６】
また、本発明の一態様の画像処理装置においては、前記削除処理後の原稿画像を削除後原稿画像とする場合、前記外枠形成部が、色成分毎に、前記削除後原稿画像の各エッジに隣接する所定領域について階調値毎の画素の度数を示した階調ヒストグラムを作成し、色成分毎に、前記階調ヒストグラムにおいて度数が所定値以上となる階調値のなかからいずれかの階調値を選択し、選択した階調値を反転させた階調値を前記外枠の階調値として前記画像データを出力するようになっていてもよい。
【０１８７】
この構成によれば、前記出力用紙上において前記削除後原稿画像の前記所定領域と前記外枠とが隣り合うことになるが、前記外枠の色を、前記所定領域にて用いられている頻度の低い色にすることができる。よって、出力用紙上にて外枠と所定領域との区別がつかなくなるといった事態を抑制できる。
【０１８８】
また、本発明の一態様の画像処理装置において、前記変倍処理後の原稿画像を変倍後原稿画像とする場合、前記外枠形成部は、色成分毎に、前記変倍後原稿画像の各エッジに隣接する所定領域について、階調値毎の画素の度数を示した階調ヒストグラムを作成し、色成分毎に、前記階調ヒストグラムにおいて度数が所定値以下になる階調値のなかからいずれかの階調値を選択し、選択した階調値を前記外枠の階調値として前記画像データを出力するようになっていてもよい。
【０１８９】
この構成によれば、前記出力用紙上において前記変倍後原稿画像の前記所定領域と前記外枠とが隣り合うことになるが、前記外枠の色を、前記所定領域にて用いられている頻度の低い色にすることができる。よって、出力用紙上にて外枠と所定領域との区別がつかなくなるといった事態を抑制できる。
【０１９０】
また、本発明の一態様の画像処理装置において、前記変倍処理後の原稿画像を削除後原稿画像とする場合、前記外枠形成部は、色成分毎に、前記削除後原稿画像の各エッジに隣接する所定領域について、階調値毎の画素の度数を示した階調ヒストグラムを作成し、色成分毎に、前記階調ヒストグラムにおいて度数が所定値以上となる階調値のなかからいずれかの階調値を選択し、選択した階調値を反転させた階調値を前記外枠の階調値として前記画像データを出力するようになっていてもよい。
【０１９１】
この構成によれば、前記出力用紙上において前記変倍後原稿画像の前記所定領域と前記外枠とが隣り合うことになるが、前記外枠の色を、前記所定領域にて用いられている頻度の低い色にすることができる。よって、出力用紙上にて外枠と所定領域との区別がつかなくなるといった事態を抑制できる。
【０１９２】
また、本発明の一態様は、前記の画像処理装置を備えた画像形成装置であってもよい。また、本発明の画像処理装置は、コンピュータによって実現されてもよく、この場合には、コンピュータを前記の画像処理装置の各部として動作させることにより、前記の画像処理装置をコンピュータにて実現させるプログラム、およびそれを記録したコンピュータ読み取り可能な記録媒体も、本発明の範疇に含まれる。
【０１９３】
本発明の一態様は上述した各実施形態に限定されるものではなく、請求項に示した範囲で種々の変更が可能であり、異なる実施形態にそれぞれ開示された技術的手段を適宜組み合わせて得られる実施形態についても本発明の一態様の技術的範囲に含まれる。
【産業上の利用可能性】
【０１９４】
本発明の一態様は、写真を複写（コピー）するために前記写真を読み取って得られる画像データに対して画像処理を行う画像処理装置に利用できる。
【符号の説明】
【０１９５】
１    画像形成装置
２    画像入力装置
３    画像処理装置
４    画像出力装置
１９    変倍処理部（外枠形成部）
３４    符号検出部
３６    符号配置部
３７    端部画素削除部（外枠形成部）
３７ａ  端部画素削除部（外枠形成部）
７００    削除後原稿画像
７０５    エッジ隣接領域（所定領域）
【図１】
2014033439.tif 000004
【図２】
2014033439.tif 000005
【図３】
2014033439.tif 000006
【図４】
2014033439.tif 000007
【図５】
2014033439.tif 000008
【図６】
2014033439.tif 000009
【図７】
2014033439.tif 000010
【図８】
2014033439.tif 000011
【図９】
2014033439.tif 000012
【図１０】
2014033439.tif 000013
【図１１】
2014033439.tif 000014
【図１２】
2014033439.tif 000015
【図１３】
2014033439.tif 000016
【図１４】
2014033439.tif 000017
【図１５】
2014033439.tif 000018
【図１６】
2014033439.tif 000019
【図１７】
2014033439.tif 000020
【図１８】
2014033439.tif 000021
【図１９】
2014033439.tif 000022